(57)【要約】【課題】メモリ内に蓄積された画像データの充分な機密保護を達成することのできる画像処理方法を提供する。【解決手段】画像記憶手段に記憶された画像データを消去を指示する画像消去指示手段によって消去する画像処理方法において、前記消去指示手段により消去が指示されたときは、前記画像記憶手段に記憶された前記画像データの管理情報を消去するとともに前記画像データを加工する。例えば、選択ファイルのファイル状態を「削除」に移行し（１００６）、削除方法指定画面を表示する（１００７）。さらに、機密ランクの「高」キーを押下したか否かチェックし（１００８）、「高」キーを押下した場合は選択ファイルのＦＡＴを更新し（１００９）、画像データ本体に対してランダム値によって画像データを上書きし（１０１０）、選択ファイルを蓄積文書リストから削除する（１０１１）。【選択図】        図１５
2004214954.tif 000002
【特許請求の範囲】
【請求項１】
画像記憶手段に記憶された画像データを消去を指示する画像消去指示手段によって消去する画像処理方法において、
前記消去指示手段により前記画像データの消去が指示されたときは、前記画像記憶手段に記憶された前記画像データの管理情報を消去するとともに前記画像データに対して所定の加工を行うことを特徴とする画像処理方法。
【請求項２】
前記画像データの加工が指示されたとき、加工設定手段により設定された加工により前記画像データの加工を行い、前記加工設定手段に画像データの加工が設定されていない場合には前記加工手段による画像データの加工は行わないことを特徴とする請求項１記載の画像処理方法。
【請求項３】
消去手順設定手段によって予め設定された消去手順によって前記画像データを消去することを特徴とする請求項２記載の画像処理方法。
【請求項４】
前記画像記憶手段は、前記画像データと消去手順設定手段によって予め設定された消去手順を記憶することを特徴とする請求項２記載の画像処理方法。
【請求項５】
前記画像記憶手段は、前記画像データと加工設定手段によって予め設定された加工手順を記憶することを特徴とする請求項２記載の画像処理方法。
【請求項６】
加工設定手段による前記加工は、前記記憶手段に記憶された画像データのスクランブル処理であることを特徴とする請求項２記載の画像処理方法。
【請求項７】
画像データを記憶する画像記憶手段に画像データを記憶し、消去を指示する画像消去指示手段によって前記画像データの消去を指示し、画像消去設定手段によって消去時の画像データ加工を設定する画像処理方法において、
画像データの加工中は前記画像記憶手段を使用する処理を禁止することを特徴とする画像処理方法。
【請求項８】
画像データの加工中は画像消去処理の進行状況を示すことを特徴とする請求項７記載の画像処理方法。
【請求項９】
画像データを記憶する画像記憶手段に画像データを記憶し、消去を指示する画像消去指示手段によって前記画像データの消去を指示し、画像消去設定手段によって消去時の画像データ加工を設定する画像処理方法において、
画像データ加工中に前記画像記憶手段を使用するような処理が発生した場合、画像データ加工処理を一時中断し、前記処理が終了した後、画像データ加工処理を再開、継続することを特徴とする画像処理方法。
【請求項１０】
画像データを記憶するための画像記憶手段と、画像データの消去を指示する画像消去指示手段を備える画像処理装置において、
前記消去指示手段により消去が指示されたとき、記憶された画像データの管理情報を消去するとともに画像データを加工する加工手段を備えていることを特徴とする画像処理装置。
【請求項１１】
画像データ加工を設定する加工設定手段を備え、該加工設定手段により、画像データ加工が指示された場合に前記加工手段による画像データの加工を行い、画像データ加工が設定されていない場合に前記加工手段による画像データの加工は行わないことを特徴とする請求項１０記載の画像処理装置。
【請求項１２】
予め消去手順を設定する消去手順設定手段を更に備えていることを特徴とする請求項１１記載の画像処理装置。
【請求項１３】
前記記憶手段に蓄積する際に消去手順の設定を行う手段を備えていることを特徴とする請求項１１記載の画像処理装置。
【請求項１４】
記憶された画像データを消去する際に消去手順の設定を行う手段を備えていることを特徴とする請求項１１記載の画像処理装置。
【請求項１５】
前記加工手段は、前記記憶手段に記憶された画像データの消去を行うことを特徴とする請求項１１記載の画像処理装置。
【請求項１６】
前記加工手段は、前記記憶手段に記憶された画像データのスクランブル処理を行うことを特徴とする請求項１１記載の画像処理装置。
【請求項１７】
画像データを記憶する画像記憶手段、前記画像データの消去を指示する画像消去指示手段、消去時の画像データ加工を設定する画像消去設定手段を備える画像処理装置において、
前記画像データの加工中は画像記憶手段を使用する処理を禁止することを特徴とする画像処理装置。
【請求項１８】
前記画像データの加工中は画像消去処理の進行状況を示すことを特徴とする請求項１７記載の画像処理装置。
【請求項１９】
画像データを記憶する画像記憶手段、前記画像データの消去を指示する画像消去指示手段、消去時の画像データ加工を設定する画像消去設定手段を備える画像処理装置において、
画像データ加工中に画像記憶手段を使用するような処理が発生した場合、画像データ加工処理を一時中断し、前記処理が終了した後、画像データ加工処理を再開、継続することを特徴とする画像処理装置。
【発明の詳細な説明】
【０００１】
【発明の属する技術分野】
本発明は、原稿の画像データを蓄積する手段をもつ画像処理装置における画像処理方法およびその方法を実施する画像処理装置に関する。
【０００２】
【従来の技術】
従来、原稿の画像データを読み取り、利用者の要求によって、その画像データをハードディスクのような記憶媒体に一旦蓄積し、後に必要に応じて任意の蓄積データを読み出し、プリントアウトが可能なデジタル複写機が知られている。
【０００３】
このような画像処理装置においては、ファイル管理テーブル（Ｆｉｌｅ  Ａｌｌｏｃａｔｉｏｎ  Ｔａｂｌｅ、以下ＦＡＴと称する）というファイル管理データによってメモリ内のどこに画像データが記憶されているのか、あるいはどこから画像データを読み出したらよいのかというような情報が管理されており、このＦＡＴを更新することによって記憶媒体内の画像データの変更等が管理されていた。しかしながら、利用者により蓄積されている画像データの消去要求が行なわれた場合、前述のように消去処理がＦＡＴの更新のみで終わるために、画像データ本体はそのままという状態になっている。そのため、この記憶媒体内を解析することによって、消去されたことになっているはずの画像データが、閲覧できてしまうということを踏まえると、蓄積された画像データの機密性保護が充分でないという問題があった。
【０００４】
そこで、例えば特許文献１には、電子ソートのような機能を実現するために記憶手段に一時的に記憶される画像データに対して、所定のタイミングで消去処理やスクランブル処理といった画像データ加工を実行することにより、記憶手段内部の画像データのセキュリティを保護することが提案されている。また、特許文献２には、読み取り手段より原稿画像を読み取り、記憶手段に蓄積しておき、必要に応じて後に読み出して出力を行うことを可能とする画像形成装置において、利用者の意向によって、記憶手段に蓄積されえた画像データに対してパスワードを付加することによって印刷、削除などのような操作に制限を設け、画像情報の保存性を高めることが提案されている。
【０００５】
【特許文献１】
特開平９−２８４５７２号公報
【０００６】
【特許文献２】
特開平１１−４５０３４号公報
【０００７】
【発明が解決しようとする課題】
しかしながら、利用者により蓄積されている画像データの消去要求が行なわれた場合、前述のように消去処理がＦＡＴの更新のみで終わるために、画像データ本体はそのままという状態になっている。そのため、この記憶媒体内を解析することによってスクランブル状態やパスワードも解析することが可能で、消去されたことになっているはずの画像データが、閲覧できてしまうということを踏まえると、蓄積された画像データの機密性保護が充分でないという問題があった。
【０００８】
本発明は、上記問題点を解決するために、メモリ内に蓄積された画像データの充分な機密保護を達成することのできる画像処理方法およびその方法を実施する画像処理装置を提供することを目的とする。
【０００９】
【課題を解決するための手段】
前記目的を達成するため、第１の手段は、画像記憶手段に記憶された画像データを消去を指示する画像消去指示手段によって消去する画像処理方法において、前記消去指示手段により画像データの消去が指示されたときは、前記画像記憶手段に記憶された前記画像データの管理情報を消去するとともに前記画像データに所定の加工を行うことを特徴としている。これにより、画像消去指示手段により、画像記憶手段から画像データを削除する指示が与えられたとき、該当データの管理情報を更新するだけでなく、画像データ本体にも加工を加えるので、機密保護を確実に行うことができる。
【００１０】
第２の手段は、第１の手段において、前記画像データの加工が指示されたとき、加工設定手段により設定された加工により前記画像データの加工を行い、前記加工設定手段に画像データの加工が設定されていない場合には前記加工手段による画像データの加工は行わないことを特徴としている。このように、画像データの機密性に応じて適当なデータ加工の指示が行えるので、画像データの加工処理に不必要に時間を費やすことがなくなる。
【００１１】
第３の手段は、第２の手段において、消去手順設定手段によって予め設定された消去手順によって前記画像データが消去されることを特徴とする。これにより、画像データの加工処理に不必要に時間を費やるのを解消するとともに、画像加工処理に利用者の要望を反映させることができ、利用者の余分な手間を省くことができる。
【００１２】
第４の手段は、第２の手段において、前記画像記憶手段は、前記画像データと消去手順設定手段によって予め設定された消去手順を記憶することを特徴とする。これにより、第３の手段と同様な効果を奏することができる。
【００１３】
第５の手段は、第２の手段において、前記画像記憶手段は、前記画像データの記憶とともに、加工設定手段によって、予め設定された加工手順も記憶することを特徴としている。
【００１４】
第６の手段は、第２の手段において、加工設定手段による前記加工は、前記記憶手段に記憶された画像データのスクランブル処理であることを特徴としている。
【００１５】
第７の手段は、画像データを記憶する画像記憶手段に画像データを記憶し、消去を指示する画像消去指示手段によって前記画像データの消去を指示し、画像消去設定手段によって消去時の画像データ加工を設定する画像処理方法において、画像データの加工中は前記画像記憶手段を使用する処理を禁止することを特徴としている。これによって、削除指示のあった蓄積画像データの加工が終了するまで、つまり、仮に蓄積データの解析をされたとしても、もとの画像が復元できないような状態になるまでは、画像記憶手段を利用するような処理をさせないので、蓄積データの機密保護性を高め、機密性の高い文書の取り扱いに信頼性を持たせることができる。
【００１６】
第８の手段は、第７の手段において、画像データの加工中は画像消去処理の進行状況を示すことを特徴としている。蓄積画像データの加工は時間がかかることが予想されるため、データ削除（加工）中はこの処理の進行状況を表示することによって、処理の終了時刻が予測でき、利用者の時間の浪費を防ぎ、利便性を向上させることができる。
【００１７】
第９の手段は、画像データを記憶する画像記憶手段に画像データを記憶し、消去を指示する画像消去指示手段によって前記画像データの消去を指示し、画像消去設定手段によって消去時の画像データ加工を設定する画像処理方法において、画像データ加工中に前記画像記憶手段を使用するような処理が発生した場合、画像データ加工処理を一時中断し、前記処理が終了した後、画像データ加工処理を再開、継続することを特徴としている。これにより、データ削除（加工）中は他の利用者が機器を使用できないという不具合を解消することができる。
【００１８】
第１０の手段は、画像データを記憶するための画像記憶手段と、画像データの消去を指示する画像消去指示手段を備える画像処理装置において、前記消去指示手段により消去が指示されたとき、記憶された画像データの管理情報を消去するとともに画像データを加工する加工手段を備えていることを特徴としている。これにより、画像記憶手段から画像データを削除する指示が与えられたとき、該当データの管理情報を更新するだけでなく、画像データ本体にも加工を加えるので、機密保護を確実に行うことができる。
【００１９】
第１１の手段は、第１０の手段に更に、画像データ加工を設定する加工設定手段を備え、該加工設定手段により、画像データ加工が指示された場合に前記加工手段による画像データの加工を行い、画像データ加工が設定されていない場合に前記加工手段による画像データの加工は行わないことを特徴としている。これにより、画像データの機密性に応じて、適当なデータ加工の指示が行え、画像データの加工処理に不必要に時間を費やすのを解消することができる。
【００２０】
第１２の手段は、第１１の手段に更に予め消去手順を設定する消去手順設定手段を備えることを特徴としている。これにより、画像データの加工処理に不必要に時間を費やるのを解消するとともに、画像加工処理に利用者の要望を反映させることができ利用者の余分な手間を省くことができる。
【００２１】
第１３の手段は、第１１の手段に更に、前記記憶手段に蓄積する際に消去手順の設定を行う手段を備えることを特徴とし、これにより、第１２の手段と同様の効果を奏することができる。
【００２２】
第１４の手段は、第１１の手段に更に、記憶された画像データを消去する際に消去手順の設定を行う手段を備えること特徴とし、第１２の手段と同様の効果を奏することができる。
【００２３】
第１５の手段は、第１１の手段における前記加工設定手段が、前記記憶手段に記憶された画像データの消去を行うことを特徴としている。
【００２４】
第１６の手段は、第１１の手段における前記加工設定手段が、前記記憶手段に記憶された画像データのスクランブル処理を行うことを特徴としている。
【００２５】
第１７の手段は、画像データを記憶する画像記憶手段、前記画像データの消去を指示する画像消去指示手段、消去時の画像データ加工を設定する画像消去設定手段を備える画像処理装置において、前記画像データの加工中は画像記憶手段を使用する処理を禁止することを特徴としている。これにより、削除指示のあった蓄積画像データの加工が終了するまで、つまり、仮に蓄積データの解析をされたとしても、もとの画像が復元できないような状態になるまでは画像記憶手段を利用するような処理をさせないことで、蓄積データの機密保護性を高め、機密性の高い文書の取り扱いに信頼性を持たせることができる。
【００２６】
第１８の手段は、第１７の手段において、前記画像データの加工中は画像消去処理の進行状況を示すことを特徴としている。これにより、データ削除（加工）中はこの処理の進行状況を表示することによって、処理の終了時刻が予測でき、利用者の時間の浪費を防ぎ、利便性を向上させることができる。
【００２７】
第１９の手段は、画像データを記憶する画像記憶手段、前記画像データの消去を指示する画像消去指示手段、消去時の画像データ加工を設定する画像消去設定手段を備える画像処理装置において、画像データ加工中に画像記憶手段を使用するような処理が発生した場合、画像データ加工処理を一時中断し、前記処理が終了した後、画像データ加工処理を再開、継続することを特徴としている。これにより、データ削除（加工）中は他の利用者が機器を使用できないという不具合を解消することができる。
【００２８】
【発明の実施の形態】
以下、図面を参照し、本発明の実施の形態について説明する。
【００２９】
図１は本発明の実施の形態に係る複写機の全体の構成を概略的に示す図、図２は図１の複写機における操作部の概略構成を示す図である。
【００３０】
図１に示すように、複写機は大きく分けて、原稿を自動的にその下方に位置する読み取りユニット５０に送り出す自動原稿送り装置（以下、ＡＤＦと称する）１、このＡＤＦ１から送り出された原稿の画像情報を読み取る読み取りユニット５０、この読み取りユニット５０からのあるいは外部からの画像情報を像担持体に書き込む書き込みユニット５７、像担持体であるドラム状の感光体１５や現像ユニット２７などから構成される画像作像系、この像形成部に転写材である転写紙を送り出す給紙系、転写紙の両面に画像を形成するため転写紙を反転させて送り出す両面給紙ユニット１１１、複数枚の転写紙をステープル留めするフィニッシャ１００などから構成されている。
【００３１】
以下、大別した部分の詳細な構成と動作を説明すると、ＡＤＦ１は原稿を載置する原稿台２、原稿台２から原稿を１枚づつ引き出す給紙ローラ３、引き出された原稿所定の位置まで搬送する給紙ベルト４、排送ローラ５、原稿セット検知センサ７などから構成されている。そして、原稿台２に原稿の画像面を上にして置かれた原稿束（図示しない）は、図２に示す操作部３０上のスタートキー３４が押下されると、一番下の原稿から給送ローラ３、給送ベルト４によって読み取りユニット５０のコンタクトガラス６上の所定の位置に給送され、読み取りユニット５０によって原稿の画像データが読み取られる。給紙ローラ３、給紙ベルト４、排送ローラ５は、図７に示す搬送モータ２６によって駆動される。
【００３２】
読み取りユニット５０は、原稿を載置するコンタクトガラス６と光学走査系で構成されている。光学走査系は、原稿を照明する露光ランプ５１、原稿からの反射光を受光して反射する第１、第２そして第３ミラー５２，５５，５６、第３ミラー５６からの光を集光して像を結ぶためのレンズ５３、レンズ５３からの画像を撮像するＣＣＤイメージセンサ５４等で構成されている。露光ランプ５１及び第１ミラー５２は図示しない第１キャリッジ上に固定され、第２ミラー５５及び第３ミラー５６は同じく図示しない第１キャリッジ上に固定されている。原稿像を読み取るときには、光路長が変わらないように、第１キャリッジと第２キャリッジとは２対１の相対速度で機械的に走査される。
【００３３】
この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を、図１において左右方向に移動させることにより、画像倍率が変わる。すなわち、指定された倍率に対応してレンズ５３及びＣＣＤイメージセンサ５４の左右方向に位置が設定される。
【００３４】
読み取りユニット５０で原稿を読み取った後、読み取りが終了した原稿は、給送ベルト４及び排送ローラ５によって排出される。さらに、原稿セット検知センサ７が原稿台２に次の原稿が有ることを検知した場合、前原稿と同様にコンタクトガラス６上に給送される。
【００３５】
給紙系は、それぞれが転写紙を積載する第１、第２そして第３トレイ８，９，１０、これらトレイから転写紙を画像作像系に給紙するための第１、第２そして第３給紙装置１１，１２，１３および縦搬送ユニット１４などから構成されている。第１トレイ８、第２トレイ９、第３トレイ１０、に積載された転写紙は、各々第１給紙装置１１、第２給紙装置１２、第３給紙装置１３によって給紙され、縦搬送ユニット１４によって感光体１５に当接する位置まで搬送される。
【００３６】
読み取りユニット５０にて読み込まれた画像データは、書き込みユニット５７によって画像作像系の感光体１５に書き込まれる。書き込みユニット５７は、画像データをレーザ光で射出するレーザ出力ユニット５８、レーザ光の像を結ぶための結像レンズ５９、結像されたレーザ光を感光体１５に反射するミラー６０などから構成されている。レーザ出力ユニット５８の内部には、レーザ光源であるレーザダイオード及びモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体１５の面上に集光結像する。
【００３７】
偏光されたレーザ光は、感光体１５が回転する方向と直行する方向（主走査方向）に露光走査され、後述する画像処理部のセレクタ６４より出力された画像信号のライン単位の記録を行う。感光体１５の回転速度と記録密度に対応した所定の周期で主走査を繰り返すことによって、感光体１５の面上に画像（静電潜像）が形成される。
【００３８】
画像作像系は、レーザ出力ユニット５８からのレーザ光によって潜像を形成する感光体１５、感光体１５の潜像を現像する現像ユニット２７、給紙系からの転写紙を搬送する搬送ベルト１６、転写紙に転写された画像を定着する定着ユニット１７、定着された転写紙を排紙する排紙ユニット１８などから構成されている。レーザ光によって潜像が形成された感光体１５は、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。なお、図示しないが感光体１５の一端近傍のレーザビームを照射される位置に、主走査同期信号を発生するビームセンサが配置されている。
【００３９】
後処理装置のフィニシャ１００は、転写紙の搬送方向を切り替える分岐偏向板１０１、排紙搬送ローラ１０２，１０３、排紙トレイ１０４、ステープルのための搬送ローラ１０５，１０７、ステープラ１０６、ステープルトレイ１０８、ジョガー１０９、ステープル止めされた転写紙が排紙されるステープル完了排紙トレイ１１０などから構成されている。分岐偏向板１０１は排紙ユニット１８の排紙ローラ１９によって搬送された転写紙を、排紙ローラ１０２方向と、ステープル処理部方向へに導くようにするためのものである。すなわち、分岐偏向板１０１を上方に切り替えることにより、排紙搬送ローラ１０２，１０３を経由して排紙トレイ１０４に排紙することができる。また、分岐偏向板１０１を下方に切り替えることで、搬送ローラ１０５，１０７を経由して、ステープル台１０８に搬送することができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。一方、排紙トレイ１０４は前後に移動可能な排紙トレイであり、原稿毎あるいは画像メモリによってソーティングされたコピー部毎に、前後に移動し、簡易的に排出されてくるコピー紙を仕分けるものである。
【００４０】
両面給紙ユニット１１１は、転写紙の両面に画像を作像する場合に用いられるもので、排紙ユニット１８の途中から引き出された転写紙を搬送する両面入紙搬送路１１３、転写紙の搬送方向を逆転させるための反転ユニット１１２、反転された転写紙を再び排紙ユニット１８に送り出す反転排紙搬送路１１４などから構成されている。この構成により、排紙ユニット１８内に設けられた搬送経路切り替えのための分岐偏向板１０１と同様な構造の分岐爪（図示しない）を上方にセットすることにより、各給紙トレイ８〜１０から給紙され、画像が転写された転写紙を排紙トレイ１０４側に導かないで、一旦両面給紙ユニット１１１の反転ユニット１１２にストックする。その後、両面給紙ユニット１１１にストックされた転写紙は、天地を逆にした形で再び縦搬送ユニット１４の途中に搬送され、感光体１５によって転写紙の裏面に画像が作像され、排紙ユニット１８内の分岐爪を下方にセットすることにより、排紙トレイ１０４に導かれる。
【００４１】
なお、感光体１５、搬送ベルト１６、定着ユニット１７、排紙ユニット１８、現像ユニット２７は、図３のメインモータ２５によって駆動され、各給紙装置１１〜１３はメインモータ２５の駆動を各々給紙クラッチ２２〜２４によって伝達駆動される。  縦搬送ユニット１４はメインモータ２５の駆動を中間クラッチ２１によって伝達駆動される。
【００４２】
図２に示すように、操作部３０には、液晶タッチパネル３１、テンキー３２、クリア／ストップキー３３、スタートキー３４、モードクリアキー３５、機密度設定キー３８が設けられている。液晶タッチパネル３１には、印字、集約、両面、変倍などを設定する機能キー３７が設けられるとともに、部数や複写機の状態を示すメッセージなどが表示される。テスト印刷キー２００は、設定されている印刷部数に関わらずに１部だけを印刷し、印刷結果を確認するためのキーである。操作部３０にはまた、コピー機能、プリンタ機能、蓄積コピー機能を切り替えるキー３９がある。コピー機能とは、スキャナで読み取った画像を転写紙に指定された動作で複写する機能である。蓄積コピー機能とは、スキャナで読み取った画像データを蓄積して、機械の操作でプリントできる機能である。
【００４３】
ここで、操作部３０の液晶タッチパネル３１の表示の一例を図３ないし図６により説明する。図３はコピー機能を選択設定したときの図２の液晶タッチパネルの表示を示す図、図４は図２の液晶タッチパネルが蓄積された画像データの各ファイルリストを表示した場合を示す図、図５は図４の蓄積印刷を設定したときの図２の液晶タッチパネルの表示を示す図、図６はスキャナからの蓄積動作を実行するときの図２の液晶タッチパネルの表示を示す図である。
【００４４】
液晶タッチパネル３１は、オペレータが表示されたキーにタッチすることで、選択された機能を示すキーが黒く反転する。また、機能の詳細を指定しなければならない場合（例えば変倍であれは変倍値等）は、キーにタッチすることで、詳細機能の設定画面が表示される。液晶タッチパネル３１は、ドット表示器を使用しているため、その時の最適な表示をグラフィカルに行うことが可能である。
【００４５】
コピー機能を選択設定した場合は、図３に示すように、左上に「コピーできます」、「お待ください」等のメッセージが表示されるメッセージエリアが表示される。このメッセージエリアの右側には、セットした枚数を表示するコピー枚数表示部が表示される。これらメッセージエリアとコピー枚数表示部の下には、画像濃度を自動的に調整する自動濃度キーや、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキーが表示され、最下部には機能キー３７である、倍率を等倍にセットする等倍キー、転写紙サイズに合せて自動的に拡大／縮小処理をする用紙指定変倍キー、拡大／縮小倍率をセットする変倍キー、両面モードを設定する両面キー、複数の原稿画像を１枚の転写紙に印刷する集約モードを設定する集約キー、スタンプや日付やページ等の印字を設定する印字キーが表示される。選択されているモードは、キーが網掛け表示されている。
【００４６】
蓄積された画像データの各ファイルリスト画面は、図４に示すように表示される。すなわち、蓄積されている画像のユーザ名、ファイル名、ページ数、登録時刻が表示される。網掛け表示部は選択されているファイルを示し、順の項目は、その選択順を示す。個々のファイルでの出力指定は、複数設定可能で、選択順に出力をおこなう。印刷キーは、設定したファイルを印刷する図５に示す画面へ移行させるためのキーである。読み取りキーは、スキャナから画像を読み取り、蓄積させるために図６に示す原稿読み取り画面へ移行するためのキーである。取消キーは、出力のために設定したファイル選択を解除するためのキーである。↑↓キーは、ファイル数が一度に表示できるファイル数を越えた場合に、画面をスクロールするためのキーである。削除キーは選択ファイルを削除するためのキーである。
【００４７】
蓄積コピーの出力設定画面は、図５に示すようになり、出力条件を設定し、コピー動作を「印刷できます」のキーにて開始できる。複数のファイルを設定した場合は設定順につながったひとかたまりの画像群として処理される。よってステープルのモード設定するとファイル毎ではなく、全画像に対してステープルされる。
【００４８】
スキャナからの蓄積動作を実行する画面は図６に示すようになる。すなわち、各モード設定し、スタートキー３４にて読み込み動作が開始される。このファイルのユーザ名、ファイル名は、自動的に表示のように設定される。複数ある場合はファイル名を区別できるようにネーミングされる。読み込み終了キーで読み込み動作が終了しファイルが閉じられる。
【００４９】
制御部は、図７に示すような構成になっている。図７は、図１の複写機における制御部の概略構成を示すブロック図である。図７はメインコントローラを中心に、制御装置を図示したものである。メインコントローラ２０は、複写機全体を制御するもので、転写紙の搬送などに必要なメインモータ２５、中間クラッチ２１、第１給紙クラッチ２２、第２給紙クラッチ２３、第３給紙クラッチ２４が接続されている。メインコントローラ２０には、更に、オペレータに対する表示、オペレータからの機能設定入力制御を行う操作部３０、スキャナの制御、原稿画像を画像メモリに書き込む制御、画像メモリからの作像を行う制御等を行う画像処理ユニット（以下、ＩＰＵと称する）４９、ＡＤＦ１などの分散制御装置が接続されている。各分散制御装置とメインコントローラ２０は必要に応じて機械の状態、動作司令のやりとりを行っている。各分散制御装置が実行する制御プログラムは各分散制御装置内部のＲＯＭに格納されている。メインコントローラ２０にはＩＣカードスロット２７が接続されており、ＩＣカードスロット２７を介して、画像形成装置外部のＩＣカードに格納されている制御プログラムデータを分散制御装置内部のＲＯＭにダウンロードし、制御プログラムを変更することが可能である。
【００５０】
図７のＩＰＵ４９の構成について、図８のブロック図により説明する。ＩＰＵ４９は、ＣＣＤイメージセンサ５４からの画像信号をデジタル信号に変換するＡ／Ｄコンバータ６１、このＡ／Ｄコンバータ６１からの画像信号をシェーディング補正するシェーディング補正回路６２、その画像信号を更にＭＴＦ補正、γ補正等を行うＭＴＦ補正・γ補正回路６３、このＭＴＦ補正・γ補正回路６３からの画像信号をメモリコントローラ６５あるいは印字合成回路７１に送るように設定するセレクタ６４を有している。これにより、露光ランプ５１から照射された光の反射を、ＣＣＤイメージセンサ５４にて光電変換し、Ａ／Ｄコンバータ６１によってデジタル信号に変換する。デジタル信号に変換された画像信号は、シェーディング補正回路６２によってシェーディング補正がなされた後、ＭＴＦ補正・γ補正回路６３にてＭＴＦ補正、γ補正等がなされ、その後、セレクタ６４により印字合成部７１を介して入力した画像データを変倍回路７６へ、或いは、メモリコントローラ６５へ切り替えて供給される。印字合成回路７１には変倍回路７７が接続され、変倍回路７７を経由した画像信号は変倍率に合せて拡大縮小され、書き込みユニット５７に送られる。印字合成部７１には、ＣＰＵ７２により制御される印字ユニットである印字イメージデータ発生装置７６が接続されている。
【００５１】
一方、メモリコントローラ６５とセレクタ６４間は、双方向に画像信号を入出力可能な構成となっている。図８には特に明示していないが、ＩＰＵ４９には読み取りユニット５０から入力される画像データ以外にもＩ／Ｏポート６７、電話回線通信制御ユニット７２を介して外部から供給される画像データ、例えばパーソナルコンピュータ等のデータ処理装置から入力したデータも処理できるよう、複数のデータの入出力の選択を行う機能を有しているものとする。
【００５２】
また、メモリコントローラ６５などへの設定や、読み取りユニット５０や書き込みユニット５７の制御を行うＣＰＵ６８、及びそのプログラムやデータを格納するＲＯＭ６９、ＲＡＭ７０、ＮＶ−ＲＡＭ７４、記憶装置としてハードディスク装置（以下、ＨＤＤと称する）７５、画像メモリ６６などを備えている。なおＣＰＵ６８は、メモリコントローラ６５を介して、画像メモリ６６のデータの書き込み、読み出しが行える。電話回線通信制御ユニット７２は、付属の図示しないアンテナを介して無線通信網より得られるアナログ情報をデジタル化したり、画像メモリ６６やハードディスク（ＨＤ）７５、ＲＯＭ６９、ＲＡＭ７０、ＮＶ−ＲＡＭ７４に記憶されているデータをアナログ情報に変換し無線通信網を経由して、所定の携帯端末に送信する機能をもつ。これにより、一般の電話と画像形成装置とのデータの送受信を可能にしている。
【００５３】
原稿画像でメモリコントローラ６５へ送られた画像は、メモリコントローラ６５内にある画像圧縮装置によって画像データを圧縮した後、その原稿が読み取られた順番をページ情報として付加したのち、画像メモリ６６に送られる。ここで画像圧縮する理由は、最大画像サイズ分の２５６階調のデータをそのまま画像メモリ６６に書き込むことも可能であるが、１枚の原稿画像で画像メモリを大変多く使用する。画像圧縮を行うことで、限られた画像メモリを有効に利用できる。また、一度に多くの原稿画像データを記憶することが出来るため、ソート機能として、貯えられた原稿画像イメージデータをページ順に出力することができる。この場合画像を出力する際に画像メモリ６６のデータをメモリコントローラ６５内の伸長装置で順次伸長しながら出力を行う。このような機能は一般に「電子ソート」と呼ばれている。
【００５４】
また画像メモリの機能を利用して、複数枚の原稿画像を、画像メモリの転写紙一枚分のエリアを分割したエリアに順次読み込むことも可能となる。例えば４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。画像メモリ６６の画像はＣＰＵ６８からアクセス可能な構成となっている。このため画像メモリの内容を加工することが可能であり、画像の切り出し処理、画像のスクランブル処理等が行える。加工には、メモリコントローラ６５のレジスタにデータを書き込むことで画像メモリの処理を行うことができる。
【００５５】
加工された画像は再度画像メモリ６６に保持される。画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の２組のアドレス・データ線で接続されている。これによりエリア１に画像を入力（ライト）する間に、エリア２より画像を出力（リード）するという動作が可能になる。
【００５６】
画像メモリ６６は、多くの画像データを収納するためＨＤＤ７５が設けられている。ハードディスクを用いることにより、外部電源が不用で永久的に画像を保持できる特徴もある。複数の定型の原稿（フォーマット原稿）をスキャナで読み込み保持するためには、このハードディスクが用いられるのが一般的である。
【００５７】
書き込み、読み出しには本体の作像やスキャナからの画像書き込みに対し処理速度の差を吸収するために、画像メモリに一旦記憶され処理される。また画像記憶装置からのデータを書き込みユニット５７に送る際は、画像メモリ６６に一旦記憶し、書き込みユニット５７に送ることになる。このように画像を記憶する装置の画像メモリ６６、ＨＤＤ７５、スキャナ画像、書き込みユニットに送る画像の入出力は全てメモリコントローラ６５によって画像パスを決定される。
【００５８】
次に、画像データのファイル管理構造について、図９により説明する。本実施の形態では、ＨＤＤ７５上の画像データはＦＡＴによってファイルとして管理されている。
【００５９】
この場合、ＨＤＤ７５の記憶領域は、ディレクトリ領域及びＦＡＴ領域を含むファイル管理領域と、実際の画像データを記録するための画像データ領域とから構成される。ディレクトリ領域は、画像データ領域に記録可能な画像データファイルの数に相当するディレクトリエントリから構成されている。各ディレクトリエントリは、画像データ領域に記録されている該当する画像データに対応するファイル管理情報（ファイル名、ファイル属性、ファイル作成日時、ファイルの先頭クラスタ番号、ファイルサイズなど）から構成されている。先頭クラスタ番号は、該当するファイルが記録されている先頭クラスタを示している。ここで、クラスタとは、物理的な記憶領域を論理的に管理するための最小管理データ単位であり、通常は、物理的なデータアクセス単位となるセクタの２のべき乗の値に設定されている（一般的には、１セクタは５１２バイトで、１クラスタは２Ｋバイトである。）。
【００６０】
ＦＡＴは、データ領域上に記録されたファイルを構成するデータの繋がりをクラスタ単位で管理するものであり、このＦＡＴと前述のディレクトリエントリとによって、ファイルの管理が行われる。画像データ領域のファイルはクラスタを単位として構成されているが、クラスタのディスク上の物理的な位置は常に連続しているわけではない。したがって、それらのクラスタがどのような順につながって１つのファイルを構成しているかがＦＡＴによって管理されているのである。ＦＡＴの各エントリは、画像データ領域の各クラスタと１対１に対応しており、該当するクラスタの使用状況（空きクラスタ、ファイル最後のクラスタ）や次のデータが記録されているクラスタ番号を表わしている。ファイルの最終データが記録されているクラスタに対応するＦＡＴのエントリには、ファイルの最後であることを示す終了コード「ＦＦＦＦ」が書き込まれる。有効データが記録されていない未使用の空のクラスタに対応するＦＡＴのエントリには、未使用コード「００００」が書き込まれる。
【００６１】
ここで、画像データの消去を指示したとき、記憶された画像データの管理情報を消去するとともに画像データを加工する場合について、図４及び図１０により説明する。図１０は図４の液晶タッチパネル３１において、削除キーを押下した場合の液晶パネル３１の表示を示す図である。図４の蓄積文書一覧画面において、任意のファイルを選択し、削除キーを押下すると、図１０のような画面が表示され、選択ファイルの削除を行うか否かの確認を行う。この確認画面において、ＮＯキーが押下された場合、ファイルの削除は行なわれず、図４の蓄積文書一覧画面に戻る。一方、ＹＥＳキーが押下された場合、選択されたファイルに対する削除処理を行う。ここでは、まず選択されたファイルのＦＡＴ情報を更新し、次にファイル本体データに加工を加えることによって、データを復元できないような状態にする。
【００６２】
ここで、ＹＥＳキーを押下して記憶された画像データを消去する場合の消去方法（消去手順）について、図３、図１０ないし図１２及び図１５により更に説明する。図１１は図１０の液晶タッチパネルの表示において、ＹＥＳキーを押下した場合の液晶パネルの表示を示す図、図１２は削除された後の液晶タッチパネルの蓄積文書の一覧画面を示す図、図１５は蓄積文書の削除処理の流れを示すフローチャートである。
【００６３】
まず、図４に示すような蓄積文書一覧画面を表示する（ステップ１００１）。表示された一覧画面において、任意のファイルを選択し（ステップ１００２）、削除キーを押下する（ステップ１００３）。これにより液晶タッチパネル３１は、図１０に示す削除確認画面が表示され（ステップ１００４）、この画面においてＹＥＳキーを押下する（ステップ１００５）。すると、選択ファイルのファイル状態を「削除」に移行し（ステップ１００６）、図１１に示すような削除方法指定画面を表示する（ステップ１００７）。図１１の画面において機密ランクの「高」キーを押下したか否かチェックし（ステップ１００８）、「高」キーを押下した場合は選択ファイルのＦＡＴを更新し（ステップ１００９）、（機密度「高」に対する画像データ加工の一例として）画像データ本体に対してランダム値によって画像データを上書きし（ステップ１０１０）、選択ファイルを蓄積文書リストから削除する（ステップ１０１１）。これにより、図１２の蓄積文書一覧画面に戻り、処理を終了する。
【００６４】
ステップ１００８において、「高」キーを押下されない場合は、図１１の画面において機密ランクの「中」キーを押下したか否かチェックし（ステップ１０１２）、「中」キーを押下した場合は選択ファイルのＦＡＴを更新し（ステップ１０１３）、（「中」の加工処理の一例として）  画像データ本体に対して、一定値、例えば「０」などで画像データを上書きし（ステップ１０１４）、ステップ１０１１に進む。ステップ１０１２において、「中」キーを押下していない場合は、図１１の画面において機密ランクの「低」キーを押下したか否かチェックし（ステップ１０１５）、「低」キーを押下した場合は選択ファイルのＦＡＴを更新する（ステップ１０１６）。「低」が設定された場合は選択ファイルのＦＡＴの更新のみで、画像データ本体に対しての加工処理は行わない。そして、ステップ１０１１に進む。
【００６５】
「低」キーを押下していない場合は、ステップ１００７に戻り再度機密ランクの確認を行う。また、ステップ１００５において、ＹＥＳキーが押下されていない場合はＮＯキーが押下されているか否かをチェックし（ステップ１０１７）、ＮＯキーが押下されている場合は、削除処理を終了する。また、ＮＯキーが押下されていない場合は、ステップ１００２に戻る。このように、ＨＤＤ７５などの記憶装置から画像データを削除する指示が与えられたとき、該当データの管理情報を更新するだけでなく、画像データ本体にも加工を加えるので、確実に機密保護を行うことができる。
【００６６】
次に、予め蓄積文書の機密度を初期設定の段階で設定し、機密度を指定することにより削除方法が指定される処理について、図２、図１３、図１６により説明する。図１３は図２の操作部において機密度設定キーを押下した場合の液晶タッチパネルの表示を示す図、図１６は初期設定処理の流れを示すフローチャートである。図２の操作部３０において、機密度設定キー３８を押下する（ステップ２００１）。これにより液晶タッチパネル３１には、図１３に示すような機密度設定画面の表示が行われる（ステップ２００２）。ここでは、蓄積文書に対するファイル削除時のデータ加工動作を蓄積文書の機密度を設定することにより、指定をすることができる。この機密度設定画面では、機密度を「高、中、低」の３段階で設定できる。次に気密度ランクが「高」の「特別高い機密度の文書として扱う」のキーを押下したか否かをチェックし（ステップ２００３）、「高」のキーが押下された場合は、選択ファイルの機密度を「高」に設定し（ステップ２００４）、終了する。また、ステップ２００３において、「高」のキーが押下されていない場合は、気密度ランクが「中」の「通常の機密（中）文書として扱う」のキーが押下されたか否をチェックし（ステップ２００５）、「中」のキーが押下された場合は、選択ファイルの機密度を「中」に設定し（ステップ２００６）、終了する。さらに、ステップ２００５において、「中」のキーが押下されていない場合は、気密度ランクが「低」の「機密度が低い文書として扱う」のキーが押下されたか否をチェックし（ステップ２００７）、「低」のキーが押下された場合は、選択ファイルの機密度を「低」に設定し（ステップ２００８）、終了する。「低」のキーが押下されなかった場合は、ステップ２００２に戻り、再度機密度設定画面の表示が行われる。このように、画像データの機密性に応じて、適当なデータ加工の指示が行えるので、画像加工処理に利用者の要望を反映させることができ、利用者の余分な手間を省くことが可能となる。
【００６７】
画像メモリ６６やＨＤＤ７５に画像を蓄積する際に消去方法の設定も行う場合の処理を図６、図１４、図１７により説明する。図１４はスキャナで読み取った原稿の機密度の設定を行う表示画面を示す図、図１７は原稿読み取り処理の流れを示すフローチャートである。図６の原稿読み取り画面の状態から、操作部３０のスタートキー３４を押下されたか否かをチェックする（ステップ３００１）。押下されている場合は読み込み指示が発生し、原稿がセットされているか否かをチェックする（ステップ３００２）。原稿がセットされている場合は、スキャナを動作させ、読み取りを動作を開始し、画像情報を画像メモリ６６やＨＤＤ７５に蓄積をする（ステップ３００３）。読み取ったら、次原稿があるか否かをチェックし（３００４）、次原稿がある場合は、ステップ３００３に戻り、再びスキャナを動作させ、蓄積を行う。原稿がなくなるまでこれを繰り返す。原稿画像がすべて蓄積されたら、図１４に示すような読み取り原稿の機密度ランク設定画面を表示する（ステップ３００５）。ここで、選択ファイルの機密ランクが「高」のキーが押下された否かをチェックし（ステップ３００６）、「高」のキーが押下された場合は、ファイル情報として機密度ランクを「高」に設定し（ステップ３００７）、この処理を終了する。「高」のキーが押下されなかった場合は、機密ランクが「中」のキーが押下された否かをチェックし（ステップ３００８）、「中」のキーが押下された場合は、ファイル情報として機密度ランクを「中」に設定し（ステップ３００９）、この処理を終了する。「中」のキーが押下されなかった場合は、機密ランクが「低」のキーが押下された否かをチェックし（ステップ３０１０）、「低」のキーが押下された場合は、ファイル情報として機密度ランクを「中」に設定し（ステップ３０１１）、この処理を終了する。「低」のキーが押下されなかった場合は、再びステップ３００５に戻る。
【００６８】
なお、画像消去の加工方法（加工手順）としては、画像領域に一定の値を上書きすることにより画像消去を行ったり、画像領域にスクランブル処理を行う。スクランブル処理は、ここでは、ランダム画像と一定パターンの画像を任意の回数だけ書き込むことにより行う。なお、ランダム画像と一定パターンの書き込む順序と回数は、固定であっても、ユーザまたはサービスエンジニアによって可変であっても構わない。ランダム画像と一定パターンの書き込む順序と回数は、図１８の表に示すような方式が知られている。図１８は、消去のためのランダム画像と一定パターンの書き込む順序と回数を示す表である。このように、記憶手段に蓄積された画像のデータをスクランブル処理することにより、機密性の非常に高い画像データも確実に消去することができる。
【００６９】
次に、削除指示のあった蓄積画像データの加工が終了するまでは、画像メモリ６６やＨＤＤ７５を利用できなくすることで、蓄積データの機密保護性を高める用にした場合を、図４、図１０、図１９、図２０により説明する。図１９は削除指示のあった蓄積画像データの加工が終了するまでは記憶手段を利用できない状態にして蓄積文書の削除処理を行う場合の流れを示すフローチャート、図２０は画像データの削除中の液晶タッチパネルの表示を示す図である。
【００７０】
まず図４に示す蓄積文書一覧の画面を表示し（ステップ４００１）、任意のファイルを選択し（ステップ４００２）、図４の画面右下の削除キーを押下する（ステップ４００３）。これにより、図１０のような画面が表示され（ステップ４００４）、ＹＥＳキーの押下があったか否かをチェックする（ステップ４００５）。このとき、ＹＥＳキーが押下されなかった場合は、ＮＯキーが押下されたか否かをチェックし（ステップ４００６）、ＮＯキーが押下された場合、ファイルの削除は行なわれず、図４の蓄積文書一覧画面に戻る。一方、ＹＥＳキーが押下された場合は、選択されたファイルに対する削除処理を行う（ステップ４００７）。そして、図２０に示すように、画像データの削除を実行中であることを液晶タッチパネル３１に表示する（ステップ４００８）。削除処理は、まず選択されたファイルのＦＡＴ情報を更新し、次にファイル本体データに加工を加えることによって、データを復元できないような状態にする（ステップ４００９）。ファイルの削除処理が行なわれている間、図２０に示すように、ファイル削除中の画面表示を行うことによって、図２の液晶タッチパネル３１から操作を受け付けないようにし、図２上の３２〜３５のハードキーの入力も無効とする。削除が終了すると、蓄積文書選択画面に移行し、削除されたファイルは画面から消去される（ステップ４０１０）。このように、削除指示のあった蓄積画像データの加工が終了するまで、つまり、仮に蓄積データの解析をされたとしてももとの画像が復元できないような状態になるまでは記憶手段を利用するような処理をさせないことで蓄積データの機密保護性を高めることができる。
【００７１】
ファイル削除処理中には、図２０の削除中画面に代えて図２１に示されるような削除処理進度表示つきの削除中画面を表示するようにしてもよい。これにより、蓄積画像データの加工は時間がかかることが予想されるため、データ削除（加工）中はこの処理の進行状況を表示することによって、処理の終了時刻が予測できるので、利用者の時間の浪費を防ぎ、利便性を向上させることができる。
【００７２】
最後に、ファイルの削除処理中にＨＤＤ７５を使用するような他の処理を実行でき、かつ削除処理中である場合は削除処理を中断し、他の処理を先に実行させ、その処理が終了した後で削除処理を再開する場合について、図２２により説明する。図２２はファイル削除／再開の判定に関する処理の流れを示すフローチャートである。すなわち、ＨＤＤ７５の使用状態が、未使用状態から使用状態になったか否かをチェックし（ステップ５００１）、紙葉状態になった場合（ＨＤＤ７５を使用する処理が発生した場合）、削除ファイルのデータ加工中であるかのフラグをチェックすることによってデータ加工中であるか否かのチェックを行う（ステップ５００２）。削除ファイルのデータ加工中の場合は、そのデータ加工処理の中断判定を行う（ステップ５００３）。
【００７３】
一方、未使用状態から使用状態になってはいない場合は、ＨＤＤ７５が使用中から未使用状態になったか否かをチェックし（ステップ５００４）、未使用の場合（ＨＤＤを使用する処理が終了した場合）は、同様に削除ファイルのデータ加工中であるかのフラグをチェックすることによってデータ加工の再開の判定を行い（ステップ５００５）、データ加工中であるとなっている場合は、削除ファイルのデータ加工処理を再開する（５００６）。これにより、データ削除（加工）中は他の利用者が機器を使用できないといったことを解消することができる。
【００７４】
【発明の効果】
以上のように、本発明によれば、画像記憶手段に記憶された画像データを消去を指示する画像消去指示手段によって消去するとき、画像記憶手段に記憶された画像データの管理情報を消去しかつ画像データを加工するので、該当データの管理情報を更新するだけでなく、画像データ本体にも加工を加えて、機密保護を確実に行うことができる画像処理方法及び装置が提供できる。
【図面の簡単な説明】
【図１】本発明の実施の形態に係る複写機の全体の構成を概略的に示す図である。
【図２】図１の複写機における操作部の概略構成を示す図である。
【図３】コピー機能を選択設定したときの図２の液晶タッチパネルの表示を示す図である。
【図４】図２の液晶タッチパネルが蓄積された画像データの各ファイルリストを表示した場合を示す図である
【図５】図４の蓄積印刷を設定したときの図２の液晶タッチパネルの表示を示す図である。
【図６】スキャナからの蓄積動作を実行するときの図２の液晶タッチパネルの表示を示す図である。
【図７】図１の複写機における制御部の概略構成を示すブロック図である。
【図８】図３のＩＰＵの構成を示すブロック図である。
【図９】本実施の形態で用いられているファイル管理構造を説明するための図である。
【図１０】図４の液晶タッチパネルの表示において、削除キーを押下した場合の液晶パネルの表示を示す図である。
【図１１】図１０の液晶タッチパネルの表示においてＹＥＳキーを押下した場合の液晶パネルの表示を示す図である。
【図１２】削除された後の液晶タッチパネルの蓄積文書の一覧画面を示す図である。
【図１３】図１３は図２の操作部において機密度設定キーを押下した場合の液晶タッチパネルの表示を示す図である。
【図１４】スキャナで読み取った原稿の機密度の設定を行う表示画面を示す図である。
【図１５】蓄積文書の削除処理の流れを示すフローチャートである。
【図１６】初期設定処理の流れを示すフローチャートである。
【図１７】原稿読み取り処理の流れを示すフローチャートである。
【図１８】消去のためのランダム画像と一定パターンの書き込む順序と回数を表形式で示す図である。
【図１９】図１９は削除指示のあった蓄積画像データの加工が終了するまでは記憶手段を利用できない状態にして蓄積文書の削除処理を行う場合の流れを示すフローチャートである。
【図２０】図１９の処理過程における画像データの削除中の液晶タッチパネルの表示を示す図である。
【図２１】図１９の処理過程における画像データの削除中の液晶タッチパネルの表示に、削除処理の進行度も表示するようなした画面を示す図である。
【図２２】ファイル削除及び再開の判定に関する処理の流れを示すフローチャートである。
【符号の説明】
１  ＡＤＦ（自動原稿送り装置）
１５  感光体
２０  メインコントローラ
２７  現像ユニット
３０  操作部
３１  液晶タッチパネル
３４  スタートキー
３７  機能キー
３８  機密度設定キー
４９  ＩＰＵ
５０  読み取りユニット
５７  書き込みユニット
６５  画像メモリコントローラ
６６  画像メモリ
６８  ＣＰＵ
７５  ＨＤＤ
【図１】
2004214954.tif 000003
【図２】
2004214954.tif 000004
【図３】
2004214954.tif 000005
【図４】
2004214954.tif 000006
【図５】
2004214954.tif 000007
【図６】
2004214954.tif 000008
【図７】
2004214954.tif 000009
【図８】
2004214954.tif 000010
【図９】
2004214954.tif 000011
【図１０】
2004214954.tif 000012
【図１１】
2004214954.tif 000013
【図１２】
2004214954.tif 000014
【図１３】
2004214954.tif 000015
【図１４】
2004214954.tif 000016
【図１５】
2004214954.tif 000017
【図１６】
2004214954.tif 000018
【図１７】
2004214954.tif 000019
【図１８】
2004214954.tif 000020
【図１９】
2004214954.tif 000021
【図２０】
2004214954.tif 000022
【図２１】
2004214954.tif 000023
【図２２】
2004214954.tif 000024